(57)【要約】【課題】  連続したストロボ撮影ができるようにする。【解決手段】  カメラ本体１に第１、第２ストロボ発光部４、５を設け、これら第１、第２ストロボ発光部４、５をシャッタスイッチ６のシャッタ操作ごとに交互に発光させる。従って、シャッタスイッチ６を操作して第１、第２ストロボ発光部４、５の一方を発光させて撮影した後、すぐにシャッタスイッチ６を再度操作しても、第１、第２ストロボ発光部４、５の他方が発光するので、連続撮影ができると共に、この発光動作を繰り返すことにより順次連続したストロボ撮影ができる。【選択図】        図１
2005134711.tif 000002
【特許請求の範囲】
【請求項１】
複数個のストロボ発光部を備え、これらストロボ発光部を交互または順番に発光させることを特徴とする電子カメラにおけるストロボ発光装置。
【請求項２】
発光色が異なる複数個のストロボ発光部を備え、これらストロボ発光部を選択的に発光させることを特徴とする電子カメラにおけるストロボ発光装置。
【請求項３】
前記複数個のストロボ発光部のうち、発光させるストロボ発光部を選択する選択手段を備えていることを特徴とする請求項２に記載の電子カメラにおけるストロボ発光装置。
【請求項４】
発光色が異なる複数個の発光素子かなるストロボ発光部を備え、前記複数個の発光素子を選択的に発光させることを特徴とする電子カメラにおけるストロボ発光装置。
【請求項５】
前記複数個の発光素子を選択して前記ストロボ発光部による発光色を変える選択手段を備えていることを特徴とする請求項４に記載の電子カメラにおけるストロボ発光装置。
【請求項６】
複数個のストロボ発光部を備え、これらストロボ発光部をそれぞれカメラ本体に着脱可能に設け、前記複数個のストロボ発光部をシャッタ操作に連動して交互または順番に発光させることを特徴とする電子カメラにおけるストロボ発光装置。
【請求項７】
前記複数個のストロボ発光部を前記カメラ本体から分離させた状態で、前記シャッタ操作に連動して前記ストロボ発光部を発光させるための無線通信手段を備えていることを特徴する請求項６に記載の電子カメラにおけるストロボ発光装置。
【発明の詳細な説明】
【技術分野】
【０００１】
この発明は、撮影時に閃光を発生する電子カメラにおけるストロボ発光装置に関する。
【背景技術】
【０００２】
従来、電子カメラにおいては、カメラ本体にストロボ発光部を設け、このストロボ発光部を撮影時に発光させることにより、光量の少ない暗い所でも良好に被写体を撮影できるように構成されている。
【０００３】
しかしながら、このような電子カメラでは、カメラ本体に１つのストロボ発光部を設けただけの構成であると、ストロボ発光部を発光させた後に、すぐに再度の撮影をしようとしても、ストロボ発光部を発光させるのに時間がかかるため、連続撮影が難しいという問題がある。また、この電子カメラでは、ストロボ発光部の発光色が白色のみであるため、撮影した画像の表現が画一的で変化に乏しいという問題もある。
【０００４】
さらに、このような電子カメラでは、ストロボ発光部を備えたカメラ本体に撮像部を分離可能に連結し、カメラ本体と撮像部とを分離させて撮影することにより、被写体の画像に影ができずに撮影できるようにしたものもあるが、このような構造では、カメラ本体に１つのストロボ発光部を設けているだけであるから、上記と同様、連続撮影が難しいという問題があるほか、カメラ本体と撮像部とを接続ケーブルで接続しているため、ストロボ発光部と撮像部とを十分に離すことができないという問題もある。
【特許文献１】特開２０００−１４７６１１号公報
【発明の開示】
【発明が解決しようとする課題】
【０００５】
この発明が解決しようとする第１の問題点は、連続したストロボ撮影が難しいことにある。
第２の問題点は、ストロボ発光部による発光色が白色のみで、撮影した画像の表現が画一的で変化に乏しいことにある。
第３の問題点は、被写体に影ができずに撮影することができても、連続したストロボ撮影が難しいことにある。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図６に示すように、複数個のストロボ発光部（第１、第２ストロボ発光部４、５または第１〜第４ストロボ発光部２０〜２３）を備え、これらストロボ発光部を交互または順番に発光させることを特徴とする電子カメラにおけるストロボ発光装置である。
【０００７】
請求項２に記載の発明は、図７〜図１０に示すように、発光色が異なる複数個のストロボ発光部（第１〜第４ストロボ発光部３０〜３３）を備え、これらストロボ発光部を選択的に発光させることを特徴とする電子カメラにおけるストロボ発光装置である。
【０００８】
請求項３に記載の発明は、図７〜図１０に示すように、前記複数個のストロボ発光部（第１〜第４ストロボ発光部３０〜３３）のうち、発光させるストロボ発光部を選択する選択手段（選択スイッチ３４）を備えていることを特徴とする請求項２に記載の電子カメラにおけるストロボ発光装置である。
【０００９】
請求項４に記載の発明は、図１１〜図１３に示すように、発光色が異なる複数個の発光素子（第１〜第４発光素子４２〜４５）かなるストロボ発光部（４０）を備え、前記複数個の発光素子を選択的に発光させることを特徴とする電子カメラにおけるストロボ発光装置である。
【００１０】
請求項５に記載の発明は、図１１〜図１３に示すように、前記複数個の発光素子（第１〜第４発光素子４２〜４５）を選択して前記ストロボ発光部（４０）による発光色を変える選択手段（選択スイッチ４１）を備えていることを特徴とする請求項４に記載の電子カメラにおけるストロボ発光装置である。
【００１１】
請求項６に記載の発明は、図１４〜図１６に示すように、複数個のストロボ発光部（第１、第２ストロボ発光部５０、５１）を備え、これらストロボ発光部をそれぞれカメラ本体（１）に着脱可能に設け、前記複数個のストロボ発光部をシャッタ操作に連動して交互または順番に発光させることを特徴とする電子カメラにおけるストロボ発光装置である。
【００１２】
請求項７に記載の発明は、図１４〜図１６に示すように、前記複数個のストロボ発光部（第１、第２ストロボ発光部５０、５１）を前記カメラ本体（１）から分離させた状態で、前記シャッタ操作に連動して前記ストロボ発光部を発光させるための無線通信手段（本体側光通信部５４および発光側光通信部５６）を備えていることを特徴する請求項６に記載の電子カメラにおけるストロボ発光装置である。
【発明の効果】
【００１３】
請求項１に記載の発明によれば、複数個のストロボ発光部を備え、これらストロボ発光部を交互または順番に発光させるので、連続したストロボ撮影ができる。例えば、ストロボ発光部を２個備えていれば、一方のストロボ発光部で１回目のストロボ撮影した後、すぐに他方のストロボ発光部で２回目のストロボ撮影ができ、これを交互に繰り返すことにより順次連続したストロボ撮影ができる。また、ストロボ発光部を３個以上備えていれば、各ストロボ発光部を順番に発光させることにより、順次連続したストロボ撮影ができると共に、高速の連続撮影ができる。
【００１４】
請求項２に記載の発明によれば、発光色が異なる複数個のストロボ発光部を備え、これらストロボ発光部を選択的に発光させるので、ストロボ発光部による発光色を選択的に変えることができ、これにより白色光のみによる画一的な画像表現だけでなく、色彩の変化に富んだ画像表現ができる。
【００１５】
請求項３に記載の発明によれば、選択手段で発光させるストロボ発光部を選択することにより、所望する発光色を自由に選択することができるので、請求項２に記載の発明と同様、色彩の変化に富んだ画像表現ができるほか、特に発光色の異なるストロボ発光部を複数個組み合わせて同時、または僅かにタイミングをずらして発光させることにより、単色発光のみでは表現できない複合色の光によるストロボ撮影ができ、このため、より一層、色彩の変化に富んだ画像表現ができる。
【００１６】
請求項４に記載の発明によれば、発光色が異なる複数個の発光素子かなるストロボ発光部を備え、前記複数個の発光素子を選択的に発光させることにより、請求項２に記載の発明と同様、ストロボ発光部の発光色を選択的に変えることができ、これにより白色光のみによる画一的な画像表現だけでなく、色彩の変化に富んだ画像表現ができる。
【００１７】
請求項５に記載の発明によれば、選択手段で複数個の発光素子を選択してストロボ発光部の発光色を変えることにより、所望する発光色を自由に選択することができるので、請求項４に記載の発明と同様、色彩の変化に富んだ画像表現ができるほか、特に発光色の異なる発光素子を複数個組み合わせて同時、または僅かにタイミングをずらして発光させることにより、単色発光のみでは表現できない複合色の光によるストロボ撮影ができ、このため、より一層、色彩の変化に富んだ画像表現ができる。
【００１８】
請求項６に記載の発明によれば、複数個のストロボ発光部を備え、これらストロボ発光部をカメラ本体に着脱可能に設けたので、撮影時にストロボ発光部をカメラ本体から分離させて撮影することができ、これにより被写体に影ができないように撮影することができると共に、複数個のストロボ発光部をシャッタ操作に連動して交互または順番に発光させることにより、カメラ本体から分離させた状態でも、請求項１に記載の発明と同様、連続したストロボ撮影ができる。
【００１９】
請求項７に記載の発明によれば、複数個のストロボ発光部をカメラ本体から分離させた状態で、シャッタ操作に連動してストロボ発光部を発光させるための無線通信手段を備えていることにより、従来例のように接続ケーブルを用いた場合に比べて、複数個のストロボ発光部をカメラ本体から十分に離することができると共に、ストロボ発光部をカメラ本体から十分に離しても、確実にストロボ発光部を発光させることができ、これにより良好に被写体をストロボ撮影することができる。
【発明を実施するための最良の形態】
【００２０】
（実施形態１）
以下、図１〜図４を参照して、この発明の実施形態１について説明する。
図１はこの発明の電子カメラを前面側から見た斜視図、図２はその電子カメラを裏面側から見た斜視図である。
この電子カメラは、図１および図２に示すように、カメラ本体１を備えている。このカメラ本体１の前面における中央部の右寄りには、図１に示すように、撮影部２が設けられており、その上部側には、光学ファインダ３が設けられている。また、このカメラ本体１の前面における上部両側には、それぞれ第１、第２ストロボ発光部４、５が設けられている。
【００２１】
この場合、撮影部２は、ズーム機能を有する撮影レンズとＣＣＤなどの撮像素子とからなり、撮影レンズで被写体の画像を撮像素子に投影し、この投影された画像を撮像素子で電気信号に変換して画像データとして取り込むように構成されている。光学ファインダ３は、撮影部２で撮影される被写体の撮影範囲を確認するように構成されている。第１、第２ストロボ発光部４、５は、それぞれ被写体に向けて閃光を発光するものであり、第１ストロボ発光部４がカメラ本体１の前面における右上隅に設けられ、第２ストロボ発光部５がカメラ本体１の前面における左上隅に設けられ、それぞれシャッタ操作ごとに交互に閃光を発するように構成されている。
【００２２】
また、カメラ本体１の上端面には、図１および図２に示すように、シャッタスイッチ６および電源スイッチ７が設けられていおり、このカメラ本体１の裏面には、図２に示すように、表示部８が設けられている。この表示部８は、液晶表示素子やＥＬ表示素子（エレクトロルミネッセンス表示素子）などの平面型の表示素子からなり、撮影する被写体の画像や撮影した被写体の画像を選択的に表示するように構成されている。さらに、このカメラ本体１の裏面における表示部８の上部側には、カメラ本体１の前面から連続する光学ファインダ３が設けられており、また表示部８の右側には、メニューを選択するメニューキー９および表示部８に表示される画像を選択するシフトキー１０が設けられている。
【００２３】
次に、このような電子カメラの回路構成について、図３のブロック図を参照して説明する。この電子カメラの回路は、その回路全般を制御するＣＰＵ（中央演算処理装置）１１と、撮影部２の撮像素子１２からの画像信号を処理する画像処理回路１３と、第１、第２ストロボ発光部４、５の発光を駆動制御するストロボ駆動回路１４と、表示部８の表示を駆動制御する表示駆動回路１５と、シャッタスイッチ６および電源スイッチ７の各スイッチ操作に応じた電気信号を処理するスイッチ回路１６と、メニューキー９およびシフトキー１０などのキー入力部１７からの入力信号を処理する入力処理回路１８とを備えている。この場合、特にＣＰＵ１１は、シャッタスイッチ６の操作に応じたスイッチ回路１６からの出力信号に基づいてストロボ駆動回路１４に動作指令を与え、第１、第２ストロボ発光部４、５を交互に発光させるように構成されている。
【００２４】
このような電子カメラでは、光学ファインダ３を覗いてカメラ本体１を被写体に向け、光学ファインダ３で被写体の撮影範囲を確認し、この状態でシャッタスイッチ６を操作して撮影部２で被写体を撮影する際、カメラ本体１の前面における上部両側に設けられた第１、第２ストロボ発光部４、５が、シャッタスイッチ６のシャッタ操作に応じて交互に発光する。すなわち、シャッタスイッチ６がシャッタ操作されると、右上隅の第１ストロボ発光部４が発光して撮影部２で被写体を撮影する。この後、すぐにシャッタスイッチ６を再度操作すると、今度は左上隅の第２ストロボ発光部５が発光して撮影部２で被写体を撮影する。
【００２５】
このように、この電子カメラによれば、カメラ本体１の前面における上部両側に第１、第２ストロボ発光部４、５を設け、これら第１、第２ストロボ発光部４、５を交互に発光させるので、連続したストロボ撮影ができる。すなわち、シャッタスイッチ６を操作して第１、第２ストロボ発光部４、５の一方を発光させて撮影した後、すぐにシャッタスイッチ６を再度操作しても、第１、第２ストロボ発光部４、５の他方が発光するので、連続撮影ができると共に、この交互に発光する動作を繰り返すことにより順次連続したストロボ撮影ができる。
【００２６】
（実施形態２）
次に、図５および図６を参照して、この発明の実施形態２について説明する。なお、図１〜図４に示された実施形態１と同一部分には同一符号を付して説明する。
この電子カメラは、図５に示すように、カメラ本体１の前面における４隅にそれぞれ第１〜第４ストロボ発光部２０〜２３を設け、これら第１〜第４ストロボ発光部２０〜２３をシャッタ操作に応じて順番に発光させる構造で、これ以外は実施形態１とほぼ同じ構造になっている。
【００２７】
この場合、第１ストロボ発光部２０は、図５に示すように、カメラ本体１の前面における右上隅に設けられており、第２ストロボ発光部２１は、カメラ本体１の前面における左上隅に設けられている。また、第３ストロボ発光部２２は、カメラ本体１の前面における左下隅に設けられており、第４ストロボ発光部２３は、カメラ本体１の前面における右下隅に設けられている。また、ＣＰＵ１１は、図３に示した実施形態１と同様、シャッタスイッチ６の操作に応じたスイッチ回路１６からの出力信号に基づいてストロボ駆動回路１４に動作指令を与え、第１〜第４ストロボ発光部２０〜２３をその順で順番に発光させるように構成されている。
【００２８】
このような電子カメラでは、シャッタスイッチ６が１回操作された１回目のシャッタ操作のときには、図６（ａ）に示すように、右上隅の第１ストロボ発光部２０が発光し、この後すぐにシャッタスイッチ６が再度操作された２回目のシャッタ操作のときには、図６（ｂ）に示すように、左上隅の第２ストロボ発光部２１が発光する。同様に、３回目のシャッタ操作のときには、図６（ｃ）に示すように、左下隅の第３ストロボ発光部２２が発光し、４回目のシャッタ操作のときには、図６（ｄ）に示すように、右下隅の第４ストロボ発光部２３が発光する。そして、シャッタスイッチ６の操作が５回目になると、１回目のシャッタ操作のときと同様、右上隅の第１ストロボ発光部２０が発光し、上記の動作を順番に繰り返す。
【００２９】
このように、この電子カメラによれば、カメラ本体１の前面における４隅に設けられた第１〜第４ストロボ発光部２０〜２３をシャッタスイッチ６のシャッタ操作に応じて順番に発光させるので、実施形態１と同様、順次連続したストロボ撮影ができるほか、特に第１〜第４ストロボ発光部２０〜２３を４個備えているので、実施形態１のように２個の第１、第２ストロボ発光部４、５を設けた場合よりも、高速で連続撮影をすることができる。
【００３０】
なお、上記実施形態２では、第１〜第４ストロボ発光部２０〜２３を１個づつ順番に発光させるように構成したが、必ずしも第１〜第４ストロボ発光部２０〜２３を１個づつ順番に発光させる必要はなく、２個ずつ交互に発光させるように構成しても良い。この場合には、上部両側の第１、第２ストロボ発光部２０、２１と下部両側の第３、第４ストロボ発光部２２、２３とを交互に発光させても良く、また右側上下部の第１、第４ストロボ発光部２０、２３と左側上下部の第２、第３ストロボ発光部２１、２２とを交互に発光させても良く、更に対角線上に位置する第１、第３ストロボ発光部２０、２２と第２、第４ストロボ発光部２１、２３とを交互に発光させても良い。
【００３１】
（実施形態３）
次に、図７〜図９を参照して、この発明の実施形態３について説明する。この場合にも、図１〜図４に示された実施形態１と同一部分には同一符号を付して説明する。
この電子カメラは、図７に示すように、カメラ本体１の前面における４隅にそれぞれ発光色の異なる第１〜第４ストロボ発光部３０〜３３を設けると共に、カメラ本体１の上端面に第１〜第４ストロボ発光部３０〜３３を適宜選択して発光させる選択スイッチ３４を設けた構造で、これ以外は実施形態１とほぼ同じ構造になっている。
【００３２】
この場合、第１ストロボ発光部３０は、その発光色が白色で、図７に示すように、カメラ本体１の前面における右上隅に設けられており、第２ストロボ発光部３１は、その発光色が赤色で、カメラ本体１の前面における左上隅に設けられている。第３ストロボ発光部３２は、その発光色が緑色で、カメラ本体１の前面における左下隅に設けられおり、第４ストロボ発光部３３は、その発光色が青色で、カメラ本体１の前面における右下隅に設けられている。また、選択スイッチ３４は、カメラ本体１の上端面にシャッタスイッチ６および電源スイッチ７と並んで設けられている。
【００３３】
この電子カメラの回路構成は、図８に示すように、実施形態１とほぼ同じ構成要素を備えているほか、特に第１〜第４ストロボ発光部３０〜３３を選択して発光させるための選択スイッチ３４と、この選択スイッチ３４からの電気信号を処理するスイッチ処理回路３５とを備えている。このスイッチ処理回路３５は、選択スイッチ３４が押されるごとにＣＰＵ１１にスイッチ信号を出力する。また、ＣＰＵ１１は、選択スイッチ３４の操作ごとにスイッチ処理回路３５から出力されたスイッチ信号に基づいて、第１〜第４ストロボ発光部３０〜３３のいずれかを選択して指定するように構成されている。
【００３４】
すなわち、このＣＰＵ１１は、選択スイッチ３４が押圧操作されない通常状態のときに、第１ストロボ発光部３０を選択して白色光を発光させ、選択スイッチ３４が１回押されたときに、第２ストロボ発光部３１を選択して赤色光を発光させ、選択スイッチ３４が２回押されたときに、第３ストロボ発光部３２を選択して緑色光を発光させ、選択スイッチ３４が３回押されたときに、第４ストロボ発光部３３を選択して青色光を発光させる。
【００３５】
また、このＣＰＵ１１は、メニューキー９を操作して複数色モードを選択した状態で、選択スイッチ３４が１回押されると、第２、第３ストロボ発光部３１、３２を選択して同時または僅かにタイミングをずらして赤色光と緑色光とを発光させ、また選択スイッチ３４が２回押されたときには、第２、第４ストロボ発光部３１、３３を選択して同時または僅かにタイミングをずらして赤色光と青色光とを発光させ、更に選択スイッチ３４が３回押されたときには、第３、第４ストロボ発光部３２、３３を選択して同時または僅かにタイミングをずらして緑色光と青色光とを発光させるように構成されている。
【００３６】
このような電子カメラでは、光学ファインダ３を覗いてカメラ本体１を被写体に向け、光学ファインダ３で被写体の撮影範囲を確認し、この状態でシャッタスイッチ６を操作して撮影部２で被写体を撮影する際、選択スイッチ３４が押圧操作されていなければ、図９（ａ）に示すように、第１ストロボ発光部３０が白色で発光するので、通常の白色光によるストロボ撮影ができる。また、この状態で選択スイッチ３４を１回押すと、図９（ｂ）に示すように、第２ストロボ発光部３１が赤色で発光するので、赤色光のストロボ撮影ができる。同様に、選択スイッチ３４が２回押されると、図９（ｃ）に示すように、第３ストロボ発光部３２が緑色で発光するので、緑色光のストロボ撮影ができ、さらに選択スイッチ３４が３回押されると、図９（ｄ）に示すように、第４ストロボ発光部３３が青色で発光するので、青色光のストロボ撮影ができる。
【００３７】
また、メニューキー９を操作して複数色モードを選択し、この状態で選択スイッチ３４を１回押すと、図１０（ａ）に示すように、第２、第３ストロボ発光部３１、３２が選択されて同時または僅かにタイミングをずらして発光するので、赤色光と緑色光との複合色の光によるストロボ撮影ができる。また、選択スイッチ３４が２回押されると、図１０（ｂ）に示すように、第２、第４ストロボ発光部３１、３３が選択されて同時または僅かにタイミングをずらして発光するので、赤色光と青色光との複合色の光によるストロボ撮影ができる。さらに、選択スイッチ３４が３回押されると、図１０（ｃ）に示すように、第３、第４ストロボ発光部３２、３３が選択されて同時または僅かにタイミングをずらして発光するので、緑色光と青色光との複合色の光によるストロボ撮影ができる。
【００３８】
このように、この電子カメラによれば、発光色が異なる第１〜第４ストロボ発光部３０〜３３を備え、これら第１〜第４ストロボ発光部３０〜３３を選択スイッチ３４で適宜選択して発光させるので、所望する発光色を自由に選択することができ、これにより白色光のみによる画一的な画像表現だけでなく、色彩の変化に富んだ画像表現ができる。特に、発光色の異なる第１〜第４ストロボ発光部３０〜３３を複数個組み合わせて同時、または僅かにタイミングをずらして発光させることにより、単色発光のみでは表現できない複合色の光によるストロボ撮影ができ、このため、より一層、色彩の変化に富んだ画像表現ができる。
【００３９】
（実施形態４）
次に、図１１〜図１３を参照して、この発明の実施形態４について説明する。この場合にも、図１〜図４に示された実施形態１と同一部分には同一符号を付して説明する。
この電子カメラは、図１１および図１２に示すように、カメラ本体１の前面における左上隅に発光色が選択可能なストロボ発光部４０を設けると共に、カメラ本体１の上端面にストロボ発光部４０による発光色を変える選択スイッチ４１を設けた構造で、これ以外は実施形態１とほぼ同じ構造になっている。
【００４０】
すなわち、このストロボ発光部４０は、図１２に示すように、発光色の異なる第１〜第４発光素子４２〜４５を備えている。これら第１〜第４発光素子４２〜４５は、それぞれ発光色の異なる発光ダイオード（ＬＥＤ）からなり、第１発光素子４２が白色光で発光し、第２発光素子４３が赤色光で発光し、第３発光素子４４が緑色光で発光し、第４発光素子４５が青色光で発光するように構成されている。また、選択スイッチ４１は、カメラ本体１の上端面にシャッタスイッチ６および電源スイッチ７と並んで設けられている。
【００４１】
この電子カメラの回路構成は、図１３に示すように、実施形態１とほぼ同じ構成要素を備えているほか、特にストロボ発光部４０の第１〜第４発光素子４２〜４５のいずれかを選択して発光させる選択スイッチ４１と、この選択スイッチ４１からの電気信号を処理するスイッチ処理回路４６とを備えている。このスイッチ処理回路４６は、選択スイッチ４１が押されるごとにＣＰＵ１１にスイッチ信号を出力する。また、ＣＰＵ１１は、選択スイッチ４１の操作ごとにスイッチ処理回路４６から出力されたスイッチ信号に基づいて、第１〜第４発光素子４２〜４５のいずれかを選択してストロボ発光部４０の発光色を変えるように構成されている。
【００４２】
すなわち、このＣＰＵ１１は、選択スイッチ４１が押圧操作されていない通常状態のときに、ストロボ発光部４０の第１発光素子４２を選択してストロボ発光部４０を白色光で発光させ、選択スイッチ４１が１回押されたときには、第２発光素子４３を選択してストロボ発光部４０を赤色光で発光させ、選択スイッチ４１が２回押されたときには、第３発光素子４４を選択してストロボ発光部４０を緑色光で発光させ、選択スイッチ４１が３回押されたときには、第４発光素子４５を選択してストロボ発光部４０を青色光で発光させるように構成されている。
【００４３】
また、このＣＰＵ１１は、メニューキー９を操作して複数色モードを選択した状態で、選択スイッチ４１が１回押されたときに、第２、第３発光素子４３、４４を選択して同時または僅かにタイミングをずらして発光させることにより、ストロボ発光部４０を赤色光と緑色光との複合色の光で発光させ、また選択スイッチ４１が２回押されたときには、第２、第４発光素子４３、４５を選択して同時または僅かにタイミングをずらして発光させることにより、ストロボ発光部４０を赤色光と青色光との複合色の光で発光させ、更に選択スイッチ４１が３回押されたときには、第３、第４発光素子４４、４５を選択して同時または僅かにタイミングをずらして発光させることにより、ストロボ発光部４０を緑色光と青色光との複合色の光で発光させるように構成されている。
【００４４】
このような電子カメラでは、光学ファインダ３を覗いてカメラ本体１を被写体に向け、光学ファインダ３で被写体の撮影範囲を確認し、この状態でシャッタスイッチ６を操作して撮影部２で被写体を撮影する際、選択スイッチ４１が押圧操作されていなければ、第１発光素子４２が発光してストロボ発光部４０を白色で発光させるので、通常の白色光によるストロボ撮影ができる。また、この状態で選択スイッチ４１を１回押すと、第２発光素子４３が発光してストロボ発光部４０を赤色で発光させるので、赤色光のストロボ撮影ができる。同様に、選択スイッチ４１が２回押されると、第３発光素子４４が発光してストロボ発光部４０を緑色で発光させるので、緑色光のストロボ撮影ができ、さらに選択スイッチ４１が３回押されると、第４発光素子４５が発光してストロボ発光部４０を青色で発光させるので、青色光のストロボ撮影ができる。
【００４５】
また、メニューキー９を操作して複数色モードを選択し、この状態で選択スイッチ４１を１回押すと、第２、第３発光素子４３、４４が選択されるので、ストロボ発光部４０を赤色と緑色の複合色で発光させることができ、これにより赤色光と緑色光の複合色の光によるストロボ撮影ができる。また、選択スイッチ４１が２回押されると、第２、第４発光素子４３、４５が選択されれるので、ストロボ発光部４０を赤色と青色の複合色で発光させることができ、これにより赤色光と青色光の複合色の光によるストロボ撮影ができる。さらに、選択スイッチ４１が３回押されると、第３、第４発光素子４４、４５が選択されるので、ストロボ発光部４０を緑色と青色の複合色で発光させることができ、緑色光と青色光の複合色の光によるストロボ撮影ができる。
【００４６】
このように、この電子カメラによれば、ストロボ発光部４０が発光色の異なる第１〜第４発光素子４２〜４５からなり、これら第１〜第４発光素子４２〜４５を選択スイッチ４１で選択して発光させることにより、所望する発光色を自由に選択することができるので、実施形態３と同様、白色光のみによる画一的な画像表現だけでなく、色彩の変化に富んだ画像表現ができる。特に、発光色の異なる第２〜第４発光素子４３〜４５を複数個組み合わせて同時、または僅かにタイミングをずらして発光させることにより、単色発光のみでは表現できない複合色の光によるストロボ撮影ができ、このため、より一層、色彩の変化に富んだ画像表現ができる。
【００４７】
（実施形態５）
次に、図１４〜図１６を参照して、この発明の実施形態５について説明する。この場合にも、図１〜図４に示された実施形態１と同一部分には同一符号を付して説明する。
この電子カメラは、図１４および図１５に示すように、カメラ本体１の前面における上部両側に第１、第２ストロボ発光部５０、５１を着脱可能に設け、光通信によって第１、第２ストロボ発光部５０、５１をシャッタ操作に連動して発光させるように構成した構造で、これ以外は実施形態１とほぼ同じ構造になっている。
【００４８】
すなわち、カメラ本体１の前面における上部両側には、図１５に示すように、第１、第２ストロボ発光部５０、５１を着脱可能に装着する切欠き状の装着凹部５２がそれぞれ設けられており、これら装着凹部５２の各底面には、雄型コネクタ５３がそれぞれ装着部５２内に突出した状態で設けられている。このカメラ本体１の前面における上部中間部には、図１４および図１５に示すように、赤外線によって光通信を行うための本体側光通信部５４が設けられている。
【００４９】
また、第１、第２ストロボ発光部５０、５１は、それぞれ後述する発光素子５７（図１６参照）および電源（図示せず）を備えた発光ユニットであり、カメラ本体１の雄型コネクタ５３が差し込まれる雌型コネクタ５５と、本体側光通信部５４に対して光通信を行う発光側光通信部５６（図１６参照）とを備え、雌型コネクタ５５に雄型コネクタ５３が差し込まれることにより、カメラ本体１と電気的に接続されると共に、各装着凹部５２に固定されるように構成されている。
【００５０】
この電子カメラの回路構成は、実施形態１とほぼ同じ構成要素を備えているほか、図１６に示すように、ＣＰＵ１１からの指令に基づいて第１、第２ストロボ発光部５０、５１を交互に発光させるための光信号を出力する発光素子からなる本体側光通信部５４を備えている。また、第１、第２ストロボ発光部５０、５１は、発光素子５７と、本体側光通信部５４からの光信号を受光する受光素子からなる発光側光通信部５６と、この発光側光通信部５６からの受光信号に基づいて各発光素子５７の発光を駆動制御する発光駆動回路５８とを備えている。
【００５１】
このような電子カメラでは、第１、第２ストロボ発光部５０、５１の各雌型コネクタ５５に、カメラ本体１の各装着凹部５２に設けられた各雄型コネクタ５３を差し込んで、第１、第２ストロボ発光部５０、５１をカメラ本体１と電気的に接続させてカメラ本体１の各装着凹部５２に装着した状態のときには、実施形態１と同様に被写体を撮影することができる。すなわち、シャッタスイッチ６がシャッタ操作されると、第１ストロボ発光部５０が発光して撮影部２で被写体を撮影し、この後すぐにシャッタスイッチ６を再度操作しても、第２ストロボ発光部５１が発光するので、連続撮影ができ、この発光動作を繰り返すことにより順次連続したストロボ撮影ができる。
【００５２】
また、カメラ本体１の各装着凹部５２から第１、第２ストロボ発光部５０、５１を取り外してそれぞれ被写体に近づけ、この状態でシャッタスイッチ６がシャッタ操作されると、カメラ本体１の本体側光通信部５４から光信号が発信され、この発信された光信号が第１、第２ストロボ発光部５０、５１の各発光側光通信部５６で受光されるが、シャッタスイッチ６が１回目のシャッタ操作のときには、第１ストロボ発光部５０を発光させて撮影し、この後すぐにシャッタスイッチ６が再度操作されると、第２ストロボ発光部５１を発光させるので、上記と同様、連続撮影ができ、この発光動作を繰り返すことにより順次連続したストロボ撮影ができる。
【００５３】
このように、この電子カメラによれば、第１、第２ストロボ発光部５０、５１をカメラ本体１の各装着凹部５２に着脱可能に装着したので、撮影時に第１、第２ストロボ発光部５０、５１をカメラ本体１に装着した状態でも、またカメラ本体１から分離させた状態でも、撮影することができると共に、第１、第２ストロボ発光部５０、５１をシャッタ操作に連動して交互に発光させるので、実施形態１と同様、連続したストロボ撮影ができる。特に、第１、第２ストロボ発光部５０、５１をカメラ本体１から分離させた状態では、被写体に影ができないように良好に被写体を撮影することができる。
【００５４】
また、この電子カメラでは、カメラ本体１に本体側光通信部５４を設け、第１、第２ストロボ発光部５０、５１にそれぞれ発光側光通信部５６を設けたので、第１、第２ストロボ発光部５０、５１をカメラ本体１から分離させた状態で、光通信によってシャッタ操作に連動して第１、第２ストロボ発光部５０、５１を発光させることができる。このため、従来例のように接続ケーブルを用いた場合に比べて、第１、第２ストロボ発光部５０、５１をカメラ本体１から十分に且つ自由に離することができると共に、第１、第２ストロボ発光部５０、５１をカメラ本体１から十分に離しても、第１、第２ストロボ発光部５０、５１を確実に発光させることができるので、良好に被写体をストロボ撮影することができる。
【００５５】
なお、上記実施形態５では、光通信によってカメラ本体１からの発光指令を第１、第２ストロボ発光部５０、５１に与えて第１、第２ストロボ発光部５０、５１を交互に発光させるように構成した場合について述べたが、これに限らず、例えば電波通信によってカメラ本体１からの発光指令を第１、第２ストロボ発光部５０、５１に与えて第１、第２ストロボ発光部５０、５１を交互に発光させるように構成しても良い。
【００５６】
また、上記実施形態５では、カメラ本体１の上部両側に第１、第２ストロボ発光部５０、５１を着脱可能に設けた場合について述べたが、これに限らず、３個以上のストロボ発光部をカメラ本体１に着脱可能に設けた構造でも良い。
【図面の簡単な説明】
【００５７】
【図１】この発明の電子カメラを前面側から見た斜視図である。（実施形態１）
【図２】図１の電子カメラを裏面側から見た斜視図である。
【図３】図１の電子カメラの回路構成を示したブロック図である。
【図４】図１の第１、第２ストロボ発光部の発光状態を示し、（ａ）は第１ストロボ発光部が発光した状態を示した正面図、（ｂ）は第２ストロボ発光部が発光した状態を示した正面図である。
【図５】この発明の電子カメラを前面側から見た斜視図である。（実施形態２）
【図６】図５の第１〜第４ストロボ発光部の発光状態を示し、（ａ）は第１ストロボ発光部が発光した状態を示した正面図、（ｂ）は第２ストロボ発光部が発光した状態を示した正面図、（ｃ）は第３ストロボ発光部が発光した状態を示した正面図、（ｄ）は第４ストロボ発光部が発光した状態を示した正面図である。
【図７】この発明の電子カメラを前面側から見た斜視図である。（実施形態３）
【図８】図７の電子カメラの回路構成を示したブロック図である。
【図９】図７の第１〜第４ストロボ発光部の発光状態を示し、（ａ）は第１ストロボ発光部が発光した状態を示した正面図、（ｂ）は第２ストロボ発光部が発光した状態を示した正面図、（ｃ）は第３ストロボ発光部が発光した状態を示した正面図、（ｄ）は第４ストロボ発光部が発光した状態を示した正面図である。
【図１０】図７の第２〜第４ストロボ発光部の複合色による発光状態を示し、（ａ）は第２、第３ストロボ発光部が発光した状態を示した正面図、（ｂ）は第２、第４ストロボ発光部が発光した状態を示した正面図、（ｃ）は第３、第４ストロボ発光部が発光した状態を示した正面図である。
【図１１】この発明の電子カメラを前面側から見た斜視図である。（実施形態４）
【図１２】図１１の要部を拡大した正面図である。
【図１３】図１１の電子カメラの回路構成を示したブロック図である。
【図１４】この発明の電子カメラを前面側から見た斜視図である。（実施形態５）
【図１５】図１４の第１、第２ストロボ発光部をカメラ本体から分離した状態を示した図である。
【図１６】図１４の電子カメラの回路構成の要部を示したブロック図である。
【符号の説明】
【００５８】
１  カメラ本体
２  撮影部
３  光学ファインダ
４、２０、３０、５０  第１ストロボ発光部
５、２１、３１、５１  第２ストロボ発光部
６  シャッタスイッチ
８  表示部
９  メニューキー
１１  ＣＰＵ
１４  ストロボ駆動回路
１６  スイッチ回路
２２、３２  第３ストロボ発光部
２３、３３  第４ストロボ発光部
３４、４１  選択スイッチ
３５、４６  スイッチ処理回路
４０  ストロボ発光部
４２〜４５  第１〜第４発光素子
５２  装着凹部
５３  雄型コネクタ
５４  本体側光通信部
５５  雌型コネクタ
５６  発光側光通信部
５７  発光素子
【図１】
2005134711.tif 000003
【図２】
2005134711.tif 000004
【図３】
2005134711.tif 000005
【図４】
2005134711.tif 000006
【図５】
2005134711.tif 000007
【図６】
2005134711.tif 000008
【図７】
2005134711.tif 000009
【図８】
2005134711.tif 000010
【図９】
2005134711.tif 000011
【図１０】
2005134711.tif 000012
【図１１】
2005134711.tif 000013
【図１２】
2005134711.tif 000014
【図１３】
2005134711.tif 000015
【図１４】
2005134711.tif 000016
【図１５】
2005134711.tif 000017
【図１６】
2005134711.tif 000018